(57)【要約】【課題】複数のグループの各々に属する複数の文字列群を繋げたリストにおいてグループ毎の索引が利用可能である場合に、索引に対する操作をしやすくしつつ、目的の文字列を見つけるまでの手間を少なくする。【解決手段】パネル表示制御部１０１は、複数のグループの各々に属する複数の文字列群を繋げたリストのうちユーザの操作により指定される指定文字列を含む部分を表示領域に表示させ、１以上のグループを選択するユーザの操作を受け付ける操作子画像を表示させ、複数のグループの各々に対応し且つ文字列群に含まれる特定の文字列を選択する操作を受け付ける複数の索引のうち、選択された１以上のグループに対応する索引を表示させる制御を行う。索引操作受付部１０３は、表示された前記索引への操作により選択された前記特定の文字列を前記指定文字列として指定する。【選択図】図２
2020149401.tif 000002
【特許請求の範囲】
【請求項１】
複数のグループの各々に属する複数の文字列群を繋げたリストのうちユーザの操作により指定される指定文字列を含む部分を表示領域に表示させ、前記複数のグループのうち１以上のグループを選択するユーザの操作を受け付ける操作子画像を表示させ、前記複数のグループの各々に対応し且つ前記文字列群に含まれる特定の文字列を選択する操作を受け付ける複数の索引のうち、選択された前記１以上のグループに対応する索引を表示させる制御を行う制御部と、
表示された前記索引への操作により選択された前記特定の文字列を前記指定文字列として指定する指定部と
を備える情報処理装置。
【請求項２】
前記指定部は、選択された前記１以上のグループに対応する索引が表示される場合、当該索引への操作で選択可能な１以上の前記特定の文字列のうちのいずれかを前記指定文字列として指定する
請求項１に記載の情報処理装置。
【請求項３】
前記制御部は、２以上のグループが選択された場合、当該２以上のグループのうち定められた条件を満たすグループが選択されたものとして、当該グループに対応する索引を表示させる
請求項１又は２に記載の情報処理装置。
【請求項４】
前記制御部は、前記条件を満たすグループとして、選択された時期が新しい方から決められた数のグループが選択されたものとする
請求項３に記載の情報処理装置。
【請求項５】
前記制御部は、前記条件を満たすグループとして、当該グループの文字列群に含まれる文字列の個数が多い方から決められた数のグループが選択されたものとする
請求項３又は４に記載の情報処理装置。
【請求項６】
前記制御部は、前記条件を満たすグループとして、当該グループの文字列群の使用頻度が多い方から決められた数のグループが選択されたものとする
請求項３から５のいずれか１項に記載の情報処理装置。
【請求項７】
前記制御部は、選択された前記１以上のグループに対応する索引を、索引の表示用領域に、当該表示用領域の広さに応じた個数の文字、記号又はそれらの組合せで表して表示させる
請求項１から６のいずれか１項に記載の情報処理装置。
【請求項８】
前記制御部は、２以上のグループが選択された場合、当該２以上のグループの各々の文字列群に含まれる文字列の個数に応じて、当該２以上のグループの索引を表す文字、記号又はそれらの組合せの個数を配分する
請求項７に記載の情報処理装置。
【請求項９】
前記制御部は、２以上のグループが選択された場合、当該２以上のグループの各々の文字列群の使用頻度に応じて、当該２以上のグループの索引を表す文字、記号又はそれらの組合せの個数を配分する
請求項７又は８に記載の情報処理装置。
【請求項１０】
前記制御部は、２以上のグループが選択された場合、当該２以上のグループに対応する索引を、各グループの属性に基づき定められる順番に並べて表示させる
請求項１から９のいずれか１項に記載の情報処理装置。
【請求項１１】
前記制御部は、前記グループの文字列群に含まれる文字列の個数を当該グループの属性として、当該個数が多いグループに対応する索引から順番に並べて表示させる
請求項１０に記載の情報処理装置。
【請求項１２】
前記制御部は、前記グループの文字列群の使用頻度を当該グループの属性として、当該使用頻度が多いグループに対応する索引から順番に並べて表示させる
請求項１０に記載の情報処理装置。
【請求項１３】
前記制御部は、複数の前記グループの文字列群を、前記索引と共通の順番で並べて繋げたリストを表示させる
請求項１０から１２のいずれか１項記載の情報処理装置。
【請求項１４】
前記制御部は、特定のグループに対応する索引については、ユーザの操作により選択されていないグループに対応する索引であっても表示させる
請求項１から１３のいずれか１項に記載の情報処理装置。
【請求項１５】
前記制御部は、選択されていない前記グループに対応する索引を代替する代替画像を、当該グループの文字列群及び選択された前記グループの文字列群の前記リストにおける並び順と共通の順番で前記索引に並べて表示させる
請求項１から１４のいずれか１項に記載の情報処理装置。
【請求項１６】
コンピュータを、
複数のグループの各々に属する複数の文字列群を繋げたリストのうちユーザの操作により指定される指定文字列を含む部分を表示領域に表示させ、前記複数のグループのうち１以上のグループを選択するユーザの操作を受け付ける操作子画像を表示させ、前記複数のグループの各々に対応し且つ前記文字列群に含まれる特定の文字列を選択する操作を受け付ける複数の索引のうち、選択された前記１以上のグループに対応する索引を表示させる制御を行う制御部と、
表示された前記索引への操作により選択された前記特定の文字列を前記指定文字列として指定する指定部
として機能させるためのプログラム。
【発明の詳細な説明】
【技術分野】
【０００１】
本発明は、情報処理装置及びプログラムに関する。
【背景技術】
【０００２】
特許文献１には、複数の言語で表されたデータのリストを表示していて利用者からグループ毎にスキップする指示があった場合、現在グループ分けした言語のリストを表示していれば同じ言語の次のグループを表示し、グループ分けしていない言語のリストを表示していれば次の言語にスキップして表示する技術が記載されている。
【先行技術文献】
【特許文献】
【０００３】
【特許文献１】特開２０１２−１２３８８２号公報
【発明の概要】
【発明が解決しようとする課題】
【０００４】
特定の文字列を先頭にして表示させるための索引（インデックスとも呼ばれる）を利用する場合、先頭として指定可能な文字列が多すぎると索引の文字が小さくなって操作がしづらくなる。一方、上記技術のようにスキップボタンを設ける場合は操作のしづらさは解消されるが、例えば別の言語の特定のグループを表示させたい場合に、まず該当言語が表示されるまでスキップし、該当言語が表示されてから今度は該当グループが表示されるまでスキップする必要があり、手間がかかる。
【０００５】
そこで、本発明は、複数のグループの各々に属する複数の文字列群を繋げたリストにおいてグループ毎の索引が利用可能である場合に、本発明の構成を有しない場合に比べて、索引に対する操作をしやすくしつつ、目的の文字列を見つけるまでの手間を少なくすることを目的とする。
【課題を解決するための手段】
【０００６】
本発明の請求項１に係る情報処理装置は、複数のグループの各々に属する複数の文字列群を繋げたリストのうちユーザの操作により指定される指定文字列を含む部分を表示領域に表示させ、前記複数のグループのうち１以上のグループを選択するユーザの操作を受け付ける操作子画像を表示させ、前記複数のグループの各々に対応し且つ前記文字列群に含まれる特定の文字列を選択する操作を受け付ける複数の索引のうち、選択された前記１以上のグループに対応する索引を表示させる制御を行う制御部と、表示された前記索引への操作により選択された前記特定の文字列を前記指定文字列として指定する指定部とを備えることを特徴とする。
【０００７】
本発明の請求項２に係る情報処理装置は、請求項１に記載の態様において、前記指定部は、選択された前記１以上のグループに対応する索引が表示される場合、当該索引への操作で選択可能な１以上の前記特定の文字列のうちのいずれかを前記指定文字列として指定することを特徴とする。
【０００８】
本発明の請求項３に係る情報処理装置は、請求項１又は２に記載の態様において、前記制御部は、２以上のグループが選択された場合、当該２以上のグループのうち定められた条件を満たすグループが選択されたものとして、当該グループに対応する索引を表示させることを特徴とする。
【０００９】
本発明の請求項４に係る情報処理装置は、請求項３に記載の態様において、前記制御部は、前記条件を満たすグループとして、選択された時期が新しい方から決められた数のグループが選択されたものとすることを特徴とする。
【００１０】
本発明の請求項５に係る情報処理装置は、請求項３又は４に記載の態様において、前記制御部は、前記条件を満たすグループとして、当該グループの文字列群に含まれる文字列の個数が多い方から決められた数のグループが選択されたものとすることを特徴とする。
【００１１】
本発明の請求項６に係る情報処理装置は、請求項３から５のいずれか１項に記載の態様において、前記制御部は、前記条件を満たすグループとして、当該グループの文字列群の使用頻度が多い方から決められた数のグループが選択されたものとすることを特徴とする。
【００１２】
本発明の請求項７に係る情報処理装置は、請求項１から６のいずれか１項に記載の態様において、前記制御部は、選択された前記１以上のグループに対応する索引を、索引の表示用領域に、当該表示用領域の広さに応じた個数の文字、記号又はそれらの組合せで表して表示させることを特徴とする。
【００１３】
本発明の請求項８に係る情報処理装置は、請求項７に記載の態様において、前記制御部は、２以上のグループが選択された場合、当該２以上のグループの各々の文字列群に含まれる文字列の個数に応じて、当該２以上のグループの索引を表す文字、記号又はそれらの組合せの個数を配分することを特徴とする。
【００１４】
本発明の請求項９に係る情報処理装置は、請求項７又は８に記載の態様において、前記制御部は、２以上のグループが選択された場合、当該２以上のグループの各々の文字列群の使用頻度に応じて、当該２以上のグループの索引を表す文字、記号又はそれらの組合せの個数を配分することを特徴とする。
【００１５】
本発明の請求項１０に係る情報処理装置は、請求項１から９のいずれか１項に記載の態様において、前記制御部は、２以上のグループが選択された場合、当該２以上のグループに対応する索引を、各グループの属性に基づき定められる順番に並べて表示させることを特徴とする。
【００１６】
本発明の請求項１１に係る情報処理装置は、請求項１０に記載の態様において、前記制御部は、前記グループの文字列群に含まれる文字列の個数を当該グループの属性として、当該個数が多いグループに対応する索引から順番に並べて表示させることを特徴とする。
【００１７】
本発明の請求項１２に係る情報処理装置は、請求項１０に記載の態様において、前記制御部は、前記グループの文字列群の使用頻度を当該グループの属性として、当該使用頻度が多いグループに対応する索引から順番に並べて表示させることを特徴とする。
【００１８】
本発明の請求項１３に係る情報処理装置は、請求項１０から１２のいずれか１項に記載の態様において、前記制御部は、複数の前記グループの文字列群を、前記索引と共通の順番で並べて繋げたリストを表示させることを特徴とする。
【００１９】
本発明の請求項１４に係る情報処理装置は、請求項１から１３のいずれか１項に記載の態様において、前記制御部は、特定のグループに対応する索引については、ユーザの操作により選択されていないグループに対応する索引であっても表示させることを特徴とする。
【００２０】
本発明の請求項１５に係る情報処理装置は、請求項１から１４のいずれか１項に記載の態様において、前記制御部は、選択されていない前記グループに対応する索引を代替する代替画像を、当該グループの文字列群及び選択された前記グループの文字列群の前記リストにおける並び順と共通の順番で前記索引に並べて表示させることを特徴とする。
【００２１】
本発明の請求項１６に係るプログラムは、コンピュータを、複数のグループの各々に属する複数の文字列群を繋げたリストのうちユーザの操作により指定される指定文字列を含む部分を表示領域に表示させ、前記複数のグループのうち１以上のグループを選択するユーザの操作を受け付ける操作子画像を表示させ、前記複数のグループの各々に対応し且つ前記文字列群に含まれる特定の文字列を選択する操作を受け付ける複数の索引のうち、選択された前記１以上のグループに対応する索引を表示させる制御を行う制御部と、表示された前記索引への操作により選択された前記特定の文字列を前記指定文字列として指定する指定部として機能させることを特徴とする。
【発明の効果】
【００２２】
請求項１、１６に係る発明によれば、複数のグループの各々に属する複数の文字列群を繋げたリストにおいてグループ毎の索引が利用可能である場合に、本発明の構成を有しない場合に比べて、索引に対する操作をしやすくしつつ、目的の文字列を見つけるまでの手間を少なくすることができる。
請求項２に係る発明によれば、索引の表示にリストの表示を同期させない場合に比べて、選択した索引が目的の文字列を探すのに適当であったか否かの確認を容易にすることができる。
請求項３に係る発明によれば、選択された全てのグループの索引を常に表示させる場合に比べて、索引の利便性を高く維持することができる。
請求項４に係る発明によれば、新たに選択したグループの索引を必ず表示させることができる。
請求項５に係る発明によれば、文字列の個数が最大のグループの索引を必ず表示させることができる。
請求項６に係る発明によれば、文字列群の使用頻度が最も多いグループの索引を必ず表示させることができる。
請求項７に係る発明によれば、索引に含まれる文字等が多くなりすぎて操作しにくくなることを防ぐことができる。
請求項８に係る発明によれば、索引の量から文字列群の量を直感的に把握することができる。
請求項９に係る発明によれば、索引の量から文字列群の使用頻度を直感的に把握することができる。
請求項１０に係る発明によれば、索引の順番から各グループの属性の関係を直感的に把握することができる。
請求項１１に係る発明によれば、索引の順番から各グループの文字列の個数の関係を直感的に把握することができる。
請求項１２に係る発明によれば、索引の順番から各グループの文字列群の使用頻度の関係を直感的に把握することができる。
請求項１３に係る発明によれば、索引の順番から文字列群の並び順を直感的に把握することができる。
請求項１４に係る発明によれば、特定のグループの索引を必ず表示させることができる。
請求項１５に係る発明によれば、文字列群のリスト上の位置関係を直感的に把握することができる。
【図面の簡単な説明】
【００２３】
【図１】実施例に係る画像処理装置のハードウェア構成を表す図
【図２】画像処理装置が実現する機能構成を表す図
【図３】表示された宛先リストの一例を表す図
【図４】索引が選択されたときの表示の一例を表す図
【図５】グループ選択ボタンが選択されたときの表示の一例を表す図
【図６】リスト情報の一例を表す図
【図７】選択状況情報の一例を表す図
【図８】画像処理装置の動作手順の一例を表す図
【図９】グループの絞込みの一例を表す図
【図１０】頻度情報の一例を表す図
【図１１】変形例の索引及び宛先リストの表示例を表す図
【図１２】変形例の索引の表示例を表す図
【図１３】変形例の索引及び宛先リストの表示例を表す図
【図１４】代替画像の表示例を表す図
【発明を実施するための形態】
【００２４】
［１］実施例
図１は実施例に係る画像処理装置１０のハードウェア構成を表す。画像処理装置１０は、ＣＰＵ（＝Central Processing Unit）１１と、ＲＡＭ（＝Random Access Memory）１２と、ＲＯＭ（＝Read Only Memory）１３と、通信部１４と、ＨＤＤ（＝Hard Disk Drive）１５と、ＵＩ部１６と、画像読取部１７と、画像形成部１８という各装置を備えるコンピュータである。画像処理装置１０は、本発明の「情報処理装置」の一例である。
【００２５】
ＣＰＵ１１は、ＲＡＭ１２をワークエリアとして用いてＲＯＭ１３やＨＤＤ１５に記憶されているプログラムを実行することで各部の動作を制御する。通信部１４は、アンテナ及び通信回路等を有し、通信回線を介した通信を行う。また、通信部１４は、ＦＡＸモデムを有し、ファクシミリ通信を行う。ＨＤＤ１５は、ＣＰＵ１１が制御に用いるデータやプログラムを記憶している。
【００２６】
ＵＩ部１６は、表示手段であるディスプレイと、ディスプレイの表面に設けられたタッチパネルとを有するタッチスクリーン（＝操作パネルとも言う）を備え、画像を表示するとともに、ユーザからの操作を受け付ける。また、ＵＩ部１６は、タッチスクリーン以外にも、キーボード等の操作子を備え、それらの操作子への操作を受け付ける。画像読取部１７は、自装置にセットされた媒体から画像を読み取るスキャナである。画像形成部１８は、例えば電子写真方式で画像を転写して定着させることで媒体に画像を形成する。
【００２７】
画像処理装置１０のＣＰＵ１１がＨＤＤ１５等に記憶されているプログラムを実行して各部を制御することで、以下に述べる各機能が実現される。
図２は画像処理装置１０が実現する機能構成を表す。画像処理装置１０は、パネル表示制御部１０１と、グループ選択操作受付部１０２と、索引操作受付部１０３と、文字列選択操作受付部１０４と、処理操作受付部１０５と、画像処理実行部１０６とを備える。
【００２８】
パネル表示制御部１０１は、自装置の操作パネル（＝タッチスクリーン）に画像を表示させる制御を行う。パネル表示制御部１０１は本発明の「制御部」の一例である。パネル表示制御部１０１は、例えば、複数のグループの各々に属する複数の文字列群を繋げたリストを表示させる。リストには、例えば、社内名簿、電子メールアドレスリスト、内線リスト、商品一覧、顧客一覧及び取扱説明書やヘルプの目録のリスト等が含まれる。文字列及びグループは、各リストの目的に応じたものが用いられる。
【００２９】
例えばリストが社内名簿である場合は、１つの氏名又は１つの内線等を表す文字列と、社内の各部門又は事業所等が共通するグループとが用いられる。また、リストが商品一覧である場合は、１つの商品名又は１つの商品番号等を表す文字列と、商品カテゴリ又は商品の価格帯等が共通するグループとが用いられる。本実施例では、パネル表示制御部１０１は、ＦＡＸの宛先リストを表示させる。
【００３０】
図３は表示された宛先リストの一例を表す。図３の例では、パネル表示制御部１０１は、リスト表示領域Ａ１に宛先リストＤ１を表示している。宛先リストＤ１は、ＦＡＸの宛先となる人物の氏名を表す文字列を並べたリストである。宛先リストＤ１には、日本語のグループに属する日本語文字列群Ｄ１１と英語のグループに属する英語文字列群Ｄ１２が含まれている。
【００３１】
宛先リストＤ１には、これ以降にも中国語文字列群及びその他言語の文字列群が含まれているものとする。このように、宛先リストＤ１は、言語が異なるグループの各々に属する複数の文字列群を繋げたリストである。パネル表示制御部１０１は、宛先リストＤ１に含まれる文字列を、リスト表示領域Ａ１に表示可能な数だけ表示させる。図３の例では、日本語文字列群Ｄ１１に含まれる文字列が４個で、リスト表示領域Ａ１に表示可能な文字列が６個であるため、日本語文字列群Ｄ１１の後に英語文字列群Ｄ１２の２つの文字列も表示されている。
【００３２】
パネル表示制御部１０１は、宛先リストＤ１のうちユーザの操作により指定される指定文字列を含む部分を表示領域に表示させる制御を行う。パネル表示制御部１０１は、本実施例では、指定文字列と、指定文字列に続く５個の文字列とを含む６個の文字列（リスト表示領域Ａ１に表示可能な最大数の文字列）をリスト表示領域Ａ１に表示させる。そのため、パネル表示制御部１０１は、リスト表示領域Ａ１の一番上、すなわちリスト表示領域Ａ１の先頭に指定文字列を表示させることになる。なお、指定文字列の表示位置は先頭に限らず、他の位置でもよい。
【００３３】
パネル表示制御部１０１は、初期表示の際には、宛先リストＤ１の最初の文字列（図３の例では「足利義満」）が指定文字列であると判断して図３に表すように表示する。この状態から例えばユーザが宛先リストＤ１を上に移動させるスクロール操作を行うと、パネル表示制御部１０１は、指定文字列が１つずつ下にずれていくと判断して、リスト表示領域Ａ１の先頭に表示する文字列を１つずつ下にずらして表示する。
【００３４】
パネル表示制御部１０１は、複数のグループのうち１以上のグループを選択するユーザの操作を受付ける操作子画像（以下「グループ選択画像」と言う）を表示させる制御を行う。操作子画像とは、タッチスクリーン上に表示され、タップ等の操作をされると予め定められた操作（グループ選択画像の場合は１以上のグループを選択する操作）が受け付けられる画像のことである。
【００３５】
パネル表示制御部１０１は、図３の例では、宛先リストＤ１の右側に、日本語選択ボタンＢ１、英語選択ボタンＢ２、中国語選択ボタンＢ３、その他選択ボタンＢ４を含む言語選択ボタンをグループ選択画像として表示している。グループ選択操作受付部１０２は、表示されたグループ選択画像への操作を、複数のグループのうち１以上のグループを選択するユーザの操作として受付ける。
【００３６】
ユーザが所望の言語選択ボタンを押す操作を行うと、グループ選択操作受付部１０２は、この操作をグループの選択操作として受け付け、選択されたグループをパネル表示制御部１０１に通知する。パネル表示制御部１０１は、通知されたグループ、すなわち、グループ選択操作受付部１０２が受け付けた操作により選択された１以上のグループに対応する索引を表示させる制御を行う。
【００３７】
索引とは、複数のグループの各々に対応し且つ文字列群に含まれる特定の文字列を選択する操作を受け付ける操作子画像群のことである。以下では、索引に含まれる個々の操作子画像のことを「索引画像」という。図３の例では、日本語選択ボタンＢ１が選択されたので、パネル表示制御部１０１は、選択された日本語選択ボタンＢ１を強調して（輪郭を太線にして）表示している。
【００３８】
そして、パネル表示制御部１０１は、リスト表示領域Ａ１と言語選択ボタンの表示領域との間に、選択された日本語に対応する日本語索引Ｃ１を表示している。日本語索引Ｃ１は、「あ」、「か」、「さ」、「た」、「な」、「は」、「ま」、「や」、「ら」、「わ」という「あ行」の各文字を索引画像として並べたものである。索引操作受付部１０３は、表示された索引への操作により選択された特定の文字列を指定文字列として指定し、その指定文字列をパネル表示制御部１０１に通知する。索引操作受付部１０３は本発明の「指定部」の一例である。
【００３９】
索引操作受付部１０３は、例えばユーザの操作により「あ」行が選択された場合、宛先リストＤ１に含まれる「あ」行の頭文字を有する文字列のうち最も上に並んでいる文字列（図３の例では「足利義満」）を指定文字列として指定する。パネル表示制御部１０１は、通知された指定文字列を含む部分を表示領域に表示させる制御を行う。
【００４０】
図４は索引が選択されたときの表示の一例を表す。図４の例では、日本語索引Ｃ１のうち「た」と表示された索引Ｃ１−４がユーザによって選択されている。この場合、索引操作受付部１０３は、宛先リストＤ１に含まれる「た」行の頭文字を有する文字列のうち最も上に並んでいる文字列（図３の例では「平清盛」）を指定文字列として指定する。パネル表示制御部１０１は、指定された「平清盛」をリスト表示領域Ａ１の先頭に表示させる制御を行っている。
【００４１】
ユーザは、以上のとおり表示された宛先リストＤ１からいずれかの宛先を選択する操作を行う。文字列選択操作受付部１０４は、この操作を、複数のグループの各々に対応し且つ文字列群に含まれる特定の文字列を選択する操作として受付ける。そして、ユーザは、選択した宛先へのＦＡＸ送信を指示する操作を行う。処理操作受付部１０５は、この操作を、ＦＡＸ送信処理を指示する操作として受け付ける。
【００４２】
画像処理実行部１０６は、画像読取部１７により画像を読み取り、通信部１４により画像を送信する等、処理操作受付部１０５を介して指示された画像処理であるＦＡＸ送信処理を実行する。図３及び図４の例では索引の言語として日本語が選択されたが、他の言語が選択される場合もある。例えば図３の画面において英語選択ボタンＢ２を押す操作が行われたとすると、パネル表示制御部１０１は、図５に表す画面を表示する。
【００４３】
図５はグループ選択ボタンが選択されたときの表示の一例を表す。図５の例では、パネル表示制御部１０１は、英語選択ボタンＢ２により英語が選択されたため、英語に対応する英語索引Ｃ２を表示させている。本実施例では、索引の表示エリアには上下に１０個の索引画像が表示可能であるものとする。英語のアルファベットは全部で２６文字あり、２６÷１０＝２余り６となる。
【００４４】
この場合、パネル表示制御部１０１は、本実施例では、後ろ側に余りを加える方法を用いて、１０個の索引画像のうち前側の４個はアルファベットの先頭から２文字ずつの組を示し、後ろ側の６個は３文字ずつの組を示すものと判断する。すなわち、パネル表示制御部１０１は、１０個の索引画像が示す文字数を２、２、２、２、３、３、３、３、３、３とした英語索引Ｃ２を表示させる。例えば最初の索引画像は「Ａ−Ｂ」という文字列でありＡとＢの組を表し、最後の索引画像は「Ｘ−Ｚ」という文字列でありＸとＹとＺの組を表している。
【００４５】
例えば「Ｃ−Ｄ」という索引画像が選択された場合、索引操作受付部１０３は、宛先リストＤ１に含まれる「Ｃ」又は「Ｄ」の頭文字を有する文字列のうち最も上に並んでいる文字列（図３の例では「Ｄｏｎａｌｄ」）を指定文字列として指定する。なお、パネル表示制御部１０１は、上記の方法以外にも、例えば前側に余りを加える方法を用いて、前側の６個を３文字ずつの組で示す索引画像を表示させてもよいし、予め決められた文字の組合せ（例えば母音は１文字にして子音を組合せにするなど）を示す索引画像を表示させてもよい。
【００４６】
以上のとおり選択された１以上のグループに対応する索引が表示される場合、索引操作受付部１０３は、表示された索引への操作で選択可能な１以上の特定の文字列のうちのいずれかを指定文字列として指定する。例えば図５における英語索引Ｃ２が表示される場合、索引操作受付部１０３は、表示された索引への操作で選択可能な１以上の特定の文字列、すなわち、英語文字列群Ｄ１２に含まれる文字列のいずれかを指定文字列として指定する。
【００４７】
図５の例では、索引操作受付部１０３が、英語文字列群Ｄ１２に含まれる文字列のうち最も上に並んでいる「Ｂａｒａｃｋ」を指定文字列として指定し、パネル表示制御部１０１が、「Ｂａｒａｃｋ」を先頭にして英語文字列群Ｄ１２をリスト表示領域Ａ１に表示させている。このように、本実施例では、表示された索引にリストの表示が同期されるので、選択したグループの文字列群の少なくとも一部をすぐに見ることができる。
【００４８】
これにより、索引の表示にリストの表示を同期させない場合に比べて、選択した索引が目的の文字列を探すのに適当であったか否かの確認が容易となっている。ユーザが順次別の言語選択ボタンを押す操作を行った場合、パネル表示制御部１０１は、本実施例では、操作の度に選択されたグループに対応する索引を新たに表示させ、それまで表示していた索引の表示は終了させる。そのため、本実施例では、常に１種類のグループに対応する索引が表示されることになる。
【００４９】
パネル表示制御部１０１は、上記のとおり文字列群及び索引を表示するために、自装置に記憶されているリスト情報を参照する。
図６はリスト情報の一例を表す。リスト情報は、リスト内の文字列と索引情報とグループとを対応付けた情報である。索引情報は、文字列の検索を補助する情報である。具体的には、索引情報は、文字列群に含まれる特定の条件を満たす文字列の特徴を表す情報である。
【００５０】
日本語の場合、特定の条件を満たす文字列とは、仮名表記した場合の頭文字が、例えば「あ」、「か」等、五十音の同じ行になる文字列である。また、英語の場合、特定の条件を満たす文字列とは、頭文字が特定の文字の文字列である。例えば索引情報が「Ａ−Ｂ」であるグループの文字列の場合、Ａ、Ｂのいずれかが頭文字である文字列が特定の条件を満たす文字列である。中国語の場合、ピンインの頭文字が特定の文字になる文字列が特定の条件を満たす文字列である。
【００５１】
図７は選択状況情報の一例を表す。選択状況情報は、索引の表示を行うグループの選択状況を示す情報である。本実施例では、単に最新の選択結果が選択状況情報に反映される。図７の例では、最新の選択グループが日本語のグループであるため、日本語の索引の表示が「〇」、すなわち、表示ありとなっており、それ以外の言語の索引の表示が「×」、すなわち、表示なしとなっている。
【００５２】
グループ選択操作受付部１０２は、新たなグループの選択操作を受け付けるたびに、その選択操作で選択されたグループの索引表示を「〇」にして他のグループの索引表示を「×」に更新する。パネル表示制御部１０１は、こうして更新される選択状況情報を参照して表示する索引を判断する。
【００５３】
画像処理装置１０は、上記の構成に基づいて、文字列のリストの索引を表示する索引表示処理を行う。
図８は画像処理装置１０の動作手順の一例を表す。図８に表す動作手順は、例えばユーザが画像処理装置１０に原稿をセットしてＦＡＸの画面を開く操作を行うことを契機に開始される。
【００５４】
まず、画像処理装置１０のパネル表示制御部１０１は、ＵＩ部１６のタッチパネルに初期画面を表示させる（ステップＳ１１）。次に、画像処理装置１０のパネル表示制御部１０１は、図８に示す動作の終了指示があったか否か、具体的にはＦＡＸの画面を閉じる操作が行われたか否かを判断する（ステップＳ１２）。この判断結果が「ＹＥＳ」である場合、画像処理装置１０は、図８に示す動作手順を終了する。
【００５５】
ステップＳ１２の判断結果が「ＮＯ」である場合、画像処理装置１０のパネル表示制御部１０１は、グループ選択操作受付部１０２がグループ選択操作を受付けたか否かを判断する（ステップＳ１３）。この判断結果が「ＮＯ」である場合、処理はステップＳ１５に進む。ステップＳ１３の判断結果が「ＹＥＳ」である場合、画像処理装置１０のパネル表示制御部１０１は、選択されたグループに基づき、表示させる索引を更新する（ステップＳ１４）。
【００５６】
例えば図３において日本語選択ボタンＢ１が選択された場合、画像処理装置１０のパネル表示制御部１０１は、選択された１以上のグループに対応する索引を表示させる制御、すなわち、日本語索引Ｃ１を表示させる。そして、処理はステップＳ１５に進む。次にステップＳ１５に進むと、画像処理装置１０のパネル表示制御部１０１は、索引操作受付部１０３が索引選択操作を受付けたか否か、例えば図３の日本語索引Ｃ１を構成する複数の索引のうちいずれかの索引が指示されたか否かを判断する。この判断結果が「ＮＯ」である場合、処理はステップＳ１７に進む。
【００５７】
ステップＳ１５の判断結果が「ＹＥＳ」である場合、画像処理装置１０のパネル表示制御部１０１は、タッチパネルにおける文字列群のリスト表示を更新する（ステップＳ１６）。例えば図３の日本語索引Ｃ１において「た」を示す索引が選択された場合、画像処理装置１０のパネル表示制御部１０１は、図４に例示するように、リストにおいて「た」行の頭文字を含む文字列を指定文字列とし、この指定文字列から始まる文字列群をリスト表示領域Ａ１に表示させる。そして、処理はステップＳ１７に進む。
【００５８】
次にステップＳ１７に進むと、画像処理装置１０のパネル表示制御部１０１は、文字列選択操作受付部１０４がリスト表示領域Ａ１内の文字列を選択する操作を受付けたか否かを判断する。この判断結果が「ＮＯ」である場合、処理はステップＳ１９に進む。図３において、ユーザがリスト表示領域Ａ１における所望の文字列を指示し、「宛先決定」と表示された索引画像を操作すると、ユーザによって指示された文字列が宛先となり、ステップＳ１７の判断結果が「ＹＥＳ」となる。
【００５９】
この場合、画像処理装置１０のパネル表示制御部１０１は、図３においてリスト表示領域Ａ１の上に設けられた宛先表示エリア（図３では空欄）に宛先を表示する（ステップＳ１８）。そして、処理はステップＳ１９に進む。次にステップＳ１９に進むと、画像処理装置１０のパネル表示制御部１０１は、自装置に対して送信指示が与えられたかを判断する。
【００６０】
この判断結果が「ＮＯ」である場合、ステップＳ１２に戻って同様な処理が繰り返される。ステップＳ１９の判断結果が「ＹＥＳ」である場合、画像処理装置１０の画像処理実行部１０６は、画像処理を実行する（ステップＳ２０）。具体的には、画像処理実行部１０６は、画像読取部１７により原稿の画像を読み取り、通信部１４により画像をステップＳ１８において決定された宛先に送信する。そして、画像処理装置１０は、ステップＳ１２に戻って動作を繰り返す。
【００６１】
以上説明したように、本実施例によれば、選択されたグループの索引のみ表示されるので、全てのグループの索引が表示される場合に比べて、索引が大きく表示されて操作し易い。また、本実施例によれば、２回の操作（言語の選択操作と索引の選択操作）で特定の文字列を表示させてからその近くにある文字列を探すことができるので、例えばリストの先頭から表示される範囲を少しずつずらしながら文字列を探す場合に比べて、目的の文字列を見つけるまでの手間が少ない。
【００６２】
［２］変形例
上述した実施例は本発明の実施の一例に過ぎず、以下のように変形させてもよい。また、実施例及び各変形例は、必要に応じて組み合わせて実施してもよい。
【００６３】
［２−１］複数グループの索引表示
パネル表示制御部１０１は、実施例では１つのグループに対応する索引だけを表示させたが、これに限らない。本変形例では、グループ選択操作受付部１０２が、２以上のグループを選択するユーザの操作を受付け、パネル表示制御部１０１が、選択された２以上のグループの各々に対応する２以上の索引を表示させる。
【００６４】
２以上のグループを選択する操作は、各種の操作が考えられるが、例えば、言語選択ボタンを２回タップする操作である。言語選択ボタンを２回タップすると、パネル表示制御部１０１が、選択された言語選択ボタンを強調表示して、他の言語選択ボタンが選択されても強調表示を解除しないようにする。こうして言語選択ボタンを２回タップされたグループは、選択された状態が維持される。
【００６５】
本変形例の索引の表示方法には大きく２通りある。１つ目は、実施例と同様に、索引を示す索引画像の数を固定する方法である。その場合、索引のグループが増えるほど、各グループの索引に割り当てられる索引画像が少なくなり、索引としての機能が低くなり、目的の文字列が見つけにくくなる。２つ目は、索引を示す索引画像の数を変動させる方法である。その場合、索引のグループが増えるほど、索引画像が多くなって個々の索引画像が小さくなり操作しにくくなる。
【００６６】
いずれの場合も、全てのグループの索引を表示させることは望ましくないので、パネル表示制御部１０１は、全てのグループのうちから選択された一部のグループに対応する索引を表示させるとよい。そうすることで、全てのグループの索引を表示させる場合に比べて、１つ目の方法では索引としての機能が高く維持され、２つ目の方法では索引が操作しにくくなることが回避されるので、いずれの場合も、索引の利便性が高く維持される。
【００６７】
［２−２］グループの絞込み
グループ選択操作受付部１０２が２以上のグループを選択するユーザの操作を受付ける際に、グループの絞込みが行われてもよい。グループの絞込みとは、例えば、グループの選択操作は３つまで受け付けられるが、表示される索引は２つである場合に行われる。
【００６８】
本変形例では、パネル表示制御部１０１は、言語選択ボタンへの操作により２以上のグループが選択された場合、選択された２以上のグループのうち定められた条件（以下「選択条件」と言う）を満たすグループが選択されたものとして、選択条件を満たすグループに対応する索引を表示させる。パネル表示制御部１０１は、例えば、選択されたグループの文字列群に含まれる文字列の個数が多い方から決められた数のグループが選択条件を満たすグループであると判断する。
【００６９】
図９はグループの絞込みの一例を表す。図９の例では、決められた数が「２」であり、グループ選択操作受付部１０２が、日本語、英語、中国語の３つのグループの選択を受け付けたものとする。図９（ａ）の例では、パネル表示制御部１０１が、選択された３つの言語選択ボタンをいずれも強調して表示している。本変形例では、例えばグループ選択操作受付部１０２が、各グループの索引の文字列個数を示す個数情報を記憶する。
【００７０】
図９（ｂ）は個数情報の一例である。図９（ｂ）の個数情報は、日本語が５個、英語が５個、中国語が４個、その他の言語が２個であることを示している。グループ選択操作受付部１０２は、ユーザの操作によりグループが選択される度に、選択されたグループの文字列群に含まれる文字列の個数が多い方から決められた数のグループについて、索引の表示を「〇」と更新する。
【００７１】
パネル表示制御部１０１は、個数情報を参照し、索引の表示が「〇」となっているグループ（図９の例では日本語のグループと英語のグループ）が選択条件を満たすグループと判断し、日本語索引Ｃ１１及び英語索引Ｃ２１を表示させる。なお、図９の例では索引画像の数を固定する方法で索引が表示されたが、上述した索引画像の数を変動させる方法で索引が表示されてもよい。
【００７２】
本変形例によれば、文字列の個数が最大のグループの索引が必ず表示される。文字列の個数が多いグループほど、よく利用される文字列が属するグループである可能性が高いので、各グループの文字列の個数に関係なくグループを絞り込む場合に比べて、表示された索引が利用されやすい。
【００７３】
なお、実施例のように常に１種類のグループに対応する索引だけを表示する場合も、グループの絞込みが行われていると言える。例えばユーザが言語選択ボタンを順次押す操作を行った場合に、実施例では最後に選択された言語選択ボタンだけが強調表示されているが、複数の言語選択ボタンが操作されているという点では図９の例と変わりない。実施例の場合は、パネル表示制御部１０１が、選択された時期が新しい方から決められた数のグループが選択条件を満たすグループであると判断している。
【００７４】
決められた数を「１」とすれば、ユーザが言語選択ボタンを順次押す操作を行った場合に、パネル表示制御部１０１が、選択された時期が最も新しいグループが選択条件を満たすグループであると判断して、そのグループの索引を表示させる。なお、選択された時期を選択条件として用いる場合も、上述した索引画像の数を変動させる方法で索引が表示されてもよい。
【００７５】
この態様によれば、新たに選択されたグループの索引が必ず表示される。例えば決められた数を「２」とすれば、選択された順番が新しい方から２つのグループの索引が必ず表示される。また、本変形例で述べた各例のように、選択条件を満たすグループに対応する索引が表示されることで、選択された全てのグループの索引が常に表示される場合に比べて、索引としての機能が高く維持され、又は、索引が操作しにくくなることが回避されるので、索引の利便性が高く維持される。
【００７６】
［２−３］使用頻度
パネル表示制御部１０１は、選択条件を満たすグループとして、選択されたグループの文字列群の使用頻度が多い方から決められた数のグループが選択されたものとしてもよい。本変形例では、例えば文字列選択操作受付部１０４が、文字列を選択する操作がされると、選択された文字列の属するグループに対応付けて使用日時を記憶しておく。
【００７７】
そして、グループ選択操作受付部１０２が、例えばＦＡＸの宛先リストが表示された場合に、各グループに対応付けて記憶されている使用日時の回数から、各グループの索引の文字列群の使用頻度を算出する。グループ選択操作受付部１０２は、算出した使用頻度を、グループ、索引表示の有無及び使用頻度を対応付けた頻度情報に反映する。
【００７８】
図１０は頻度情報の一例を表す。図１０の頻度情報では、「日本語」、「英語」、「中国語」及び「その他」の使用頻度として「５０」、「３０」、「１５」及び「２０」（単位は毎月の回数）が対応付けられている。図１０の例において、例えば決められた数が２であり、日本語、英語及び中国語のグループが選択された場合、グループ選択操作受付部１０２は、使用頻度が最も多い日本語と２番目に多い英語の索引の表示を「〇」に更新する。
【００７９】
パネル表示制御部１０１は、頻度情報を参照し、索引の表示が「〇」となっているグループ（図１０の例では日本語のグループと英語のグループ）が選択条件を満たすグループと判断し、日本語索引Ｃ１１及び英語索引Ｃ２１を表示させる。本変形例によれば、文字列群の使用頻度が最も多いグループの索引が必ず表示される。文字列群の使用頻度が多いほど、その文字列群に含まれる文字列を探すための索引も利用されやすいので、文字列群の使用頻度に関係なくグループを絞り込む場合に比べて、表示された索引が利用されやすい。
【００８０】
［２−４］索引の表示順とリストの表示順
索引の表示順と宛先リストＤ１に含まれる文字列群の表示順を同期させてもよい。
図１１は本変形例の索引及び宛先リストの表示例を表す。図１１（ａ）では、日本語、英語、中国語が選択され、日本語の文字列群の使用頻度が１位、中国語の文字列群の使用頻度が２位であった場合に、パネル表示制御部１０１が、日本語索引Ｃ１１及び中国語索引Ｃ３１を順番に表示させている。
【００８１】
パネル表示制御部１０１は、図１１（ａ）では、宛先リストＤ１に含まれる文字列群の表示順を索引の表示順に同期させず、日本語文字列群Ｄ１１と英語文字列群Ｄ１２とを順番に表示させている。一方、図１１（ｂ）では、パネル表示制御部１０１は、宛先リストＤ１に含まれる文字列群の表示順を索引の表示順に同期させており、日本語文字列群Ｄ１１に並べて中国語文字列群Ｄ１３を表示させている。
【００８２】
索引の表示順と宛先リストＤ１に含まれる文字列群の表示順を同期させるか否かは、予め設定で決められていてもよいし、ユーザが行う操作により切り替えられてもよい。本変形例によれば、索引の順番から文字列群の並び順が直感的に把握されるので、上記同期が行われない場合に比べて、宛先リストＤ１をスクロールする際に、目的とする文字列の位置が推測しやすい。
【００８３】
［２−５］索引文字数の調整
パネル表示制御部１０１は、選択された１以上のグループに対応する索引を、索引の表示用領域に、その表示用領域の広さに応じた個数の文字、記号又はそれらの組合せで表して表示させてもよい。
図１２は本変形例の索引の表示例を表す。図１２の例では、日本語のグループと英語のグループが選択されている。
【００８４】
図１２（ａ）の例では、パネル表示制御部１０１は、日本語索引Ｃ１１と英語索引Ｃ２１とを各々の表示用領域Ｅ１１、Ｅ２１に表示させている。各表示用領域において、上下方向に配列可能な索引画像の数は各々５個である。日本語の場合、「あかさたなはまやらわ」という１０文字を索引により網羅する必要がある。この場合、１０÷５＝２となるので、パネル表示制御部１０１は、上記１０文字を２、２、２、２、２の組に分割し、各々２文字を表す５個の索引画像からなる日本語索引Ｃ１１を表示用領域Ｅ１１に表示させる。
【００８５】
英語の場合、ＡからＺまでの２６文字を索引により網羅する必要がある。この場合、２６÷５＝５余り１となるので、パネル表示制御部１０１は、上記２６文字を５、５、５、５、６の組に分割し、各々５、５、５、５、６文字を表す５個の索引画像からなる英語索引Ｃ２１を表示用領域Ｅ２１に表示させる。この態様によれば、表示用領域の広さに応じた個数の文字、記号又はそれらの組合せで索引画像を表して表示させるので、索引に含まれる文字等が多くなりすぎて操作しにくくなることが防止される。
【００８６】
また、パネル表示制御部１０１は、２以上のグループが選択された場合、当該２以上のグループの各々の文字列群に含まれる文字列の個数に応じて、当該２以上のグループの索引を表す文字、記号又はそれらの組合せの個数を配分してもよい。図１２（ｂ）の例では、日本語のグループの文字列群に含まれる文字列の個数が英語のグループの文字列群に含まれる文字列の個数よりも多いものとする。
【００８７】
このため、日本語索引Ｃ１２を構成する索引画像の個数が６、英語索引Ｃ２２を構成する索引画像の個数が４とされている。この場合、日本語に関しては、１０÷６＝１余り４となるので、パネル表示制御部１０１は、実施例のように後ろ側に余りを加える方法を用いて、上記１０文字を１、１、２、２、２、２の組に分割し、各々１、１、２、２、２、２文字を表す６個の索引画像からなる日本語索引Ｃ１２を表示用領域Ｅ１２に表示させている。
【００８８】
英語に関しては、２６÷４＝６余り２となるので、パネル表示制御部１０１は、上記２６文字を６、６、７、７の組に分割し、各々６、６、７、７文字を表す４個の索引画像からなる英語索引Ｃ２２を表示用領域Ｅ２２に表示している。この態様によれば、２以上のグループの各々の文字列群に含まれる文字列の個数に応じて、当該２以上のグループの索引を表す文字、記号又はそれらの組合せの個数を配分するので、索引の量から文字列群の量が直感的に把握される。
【００８９】
また、パネル表示制御部１０１は、２以上のグループが選択された場合、当該２以上のグループの各々の文字列群の使用頻度に応じて、当該２以上のグループの索引を表す文字、記号又はそれらの組合せの個数を配分してもよい。すなわち、図１２（ｂ）の例において、日本語のグループの文字列群の使用頻度が英語の文字列群の使用頻度よりも高ければ、日本語索引に表示する索引画像の個数を英語索引に表示する索引画像の個数よりも多くし、逆であれば日本語索引に表示する索引画像の個数を英語索引に表示する索引画像の個数よりも少なくするのである。この態様によれば、索引の量から文字列群の使用頻度が直感的に把握される。
【００９０】
なお、図１２（ａ）及び（ｂ）の例において、パネル表示制御部１０１は、後ろ側に余りを加える方法ではなく、上述した前側に余りを加える方法を用いて索引を表示させてもよい。また、パネル表示制御部１０１は、１つのグループに対応する複数の索引画像が示す文字を頭文字とする文字列の数が均等になるように、各索引画像が示す文字の数を調整してもよい。
【００９１】
この態様によれば、１つの索引により指示可能な文字列数が均等であるので、所望の文字列を探し当てるための作業量が索引間で均等になる。また、パネル表示制御部１０１は、１つのグループに対応する複数の索引画像が示す文字を頭文字とする文字列群の使用頻度が均等になるように、各索引画像が示す文字の数を調整してもよい。この態様によれば、１つの言語のグループに対応した複数の索引の使用頻度が各索引間で均等になる。
【００９２】
［２−６］索引の並び順
パネル表示制御部１０１は、２以上のグループが選択された場合、選択された２以上のグループに対応する索引を、各グループの属性に基づき定められる順番に並べて表示させてもよい。ここでいう属性とは、例えば、選択されたグループの文字列群に含まれる文字列の個数である。
【００９３】
その場合、パネル表示制御部１０１は、グループの文字列群に含まれる文字列の個数をそのグループの属性として、文字列の個数が多いグループに対応する索引から順番に並べて表示させる。
図１３は本変形例の索引及び宛先リストの表示例を表す。図１３では、日本語のグループと英語のグループが選択され、日本語よりも英語の方が文字列群に含まれる文字列の個数が多いものとする。
【００９４】
そのため、パネル表示制御部１０１は、文字列群に含まれる文字列の個数が日本語のグループよりも多い英語のグループに対応する英語索引Ｃ２３を上に表示させ、日本語索引Ｃ１３を下に表示させている。この態様によれば、索引の順番から各グループの文字列の個数の関係が直感的に把握される。
【００９５】
なお、パネル表示制御部１０１は、グループの文字列群の使用頻度を当該グループの属性として、当該使用頻度が多いグループに対応する索引から順番に並べて表示させてもよい。この態様によれば、索引の順番から各グループの文字列群の使用頻度の関係が直感的に把握される。いずれの属性が用いられる場合でも、本変形例によれば、索引の順番から各グループの属性の関係が直感的に把握される。
【００９６】
また、本変形例においても、索引の表示順と宛先リストＤ１に含まれる文字列群の表示順を同期させてもよい。その場合、パネル表示制御部１０１は、複数のグループの文字列群を、索引と共通の順番で並べて繋げたリストを表示させる。図１３の例であれば、パネル表示制御部１０１は、図１３（ｂ）に表すように、文字列群の表示順序を索引の表示順序に同期させ、英語の文字列群を日本語の文字列群よりも先に（上側に）表示させる。この態様によれば、索引の順番から文字列群の並び順が直感的に把握される。
【００９７】
［２−７］特定索引の固定表示
パネル表示制御部１０１は、特定のグループに対応する索引については、ユーザの操作により選択されていないグループに対応する索引であっても表示させるようにしてもよい。本変形例によれば、特定のグループの索引については常に表示されるので、例えば、日本語索引は常に表示されるようにしておくことで、本変形例の表示制御が行われない場合に比べて、日本語の宛先を頻繁に使用するユーザにとっての利便性が高められる。
【００９８】
［２−８］代替画像の表示
パネル表示制御部１０１は、選択されていないグループに対応する索引を代替する代替画像を、当該グループの文字列群及び選択されたグループの文字列群のリストにおける並び順と共通の順番で索引に並べて表示させてもよい。
【００９９】
図１４は代替画像の表示例を表す。図１４（ａ）に示す例では英語のグループが選択されており、パネル表示制御部１０１が、日本語のグループを示す日本語代替画像Ｃ１４と、中国語のグループを示す中国語代替画像Ｃ３４とを、英語索引Ｃ２の上下に表示させている。パネル表示制御部１０１は、宛先リストＤ１における各言語の文字列群の順番（日本語、英語、中国語の順番）に従い、日本語代替画像Ｃ１４、英語索引Ｃ２、中国語代替画像Ｃ３４の順に各画像を表示させている。
【０１００】
また、図１４（ｂ）に示す例では、中国語のグループが選択されており、パネル表示制御部１０１が、中国語索引Ｃ３の上下に英語代替画像Ｃ２４とその他の言語に対応した代替画像Ｃ４４とを表示させている。パネル表示制御部１０１は、宛先リストＤ１における各言語の文字列群の順番（英語、中国語、その他の言語の順番）に従い、英語代替画像Ｃ２４、中国語索引Ｃ３、代替画像Ｃ４４の順に各画像を表示させている。本変形例によれば、索引と代替画像との並び方から、各グループの文字列群のリスト上の位置関係が直感的に把握される。
【０１０１】
［２−９］文字列の並び順
実施例において、リストに含まれる文字列は昇順に並べられていたが、降順に並べられていてもよい。また、昇順でも降順でもなく、文字列が有する何らかの要素に基づいた独自の順序（例えば登録順、更新順又は作成者順等）で並べられていてもよい。
【０１０２】
［２−１０］各部を実現する装置
図２に表す各機能を実現する装置は、図中に表された装置に限らない。例えば画像処理装置１０の一部の機能を他の装置が実現してもよい。また、例えば、上記の各例では、パネル表示制御部１０１が索引画像の表示制御、索引の表示制御及びリストの表示制御を全て行っていたが、各表示制御を別々の機能が行ってもよい。その場合は各表示制御機能が協働して本発明の「制御部」として機能する。要するに、画像処理装置又は複数の装置の全体で図２に表された機能が実現されていれば、装置毎の機能分担及び各機能が行う動作の範囲は自由に定められてよい。
【０１０３】
［２−１１］発明のカテゴリ
本発明は、画像処理装置のような情報処理装置の他、情報処理装置が実施する処理を実現するための情報処理方法としても捉えられるし、各情報処理装置を制御するコンピュータを機能させるためのプログラムとしても捉えられる。このプログラムは、それを記憶させた光ディスク等の記録媒体の形態で提供されてもよいし、インターネット等の通信回線を介してコンピュータにダウンロードさせ、それをインストールして利用可能にするなどの形態で提供されてもよい。
【符号の説明】
【０１０４】
１０…画像処理装置、１０１…パネル表示制御部、１０２…グループ選択操作受付部、１０３…索引操作受付部、１０４…文字列選択操作受付部、１０５…処理操作受付部、１０６…画像処理実行部。
【図１】
2020149401.tif 000003
【図２】
2020149401.tif 000004
【図３】
2020149401.tif 000005
【図４】
2020149401.tif 000006
【図５】
2020149401.tif 000007
【図６】
2020149401.tif 000008
【図７】
2020149401.tif 000009
【図８】
2020149401.tif 000010
【図９】
2020149401.tif 000011
【図１０】
2020149401.tif 000012
【図１１】
2020149401.tif 000013
【図１２】
2020149401.tif 000014
【図１３】
2020149401.tif 000015
【図１４】
2020149401.tif 000016